(57)【要約】【課題】  被投影対象物に従って、該被投影対象物上への投影に適した映像コンテンツを動的に切り替えることにより、管理者の煩雑な操作を軽減させること。【解決手段】  被投影対象物から得られる被投影対象物を特定するための特定情報に関連して記憶されている映像コンテンツを、当該被投影対象物に映像を投影する映像コンテンツとして決定し、当該決定された映像コンテンツの映像を被投影対象物に投影すべく該映像コンテンツを投影装置に出力すること。【選択図】図３
2013130682.tif 000002
【特許請求の範囲】
【請求項１】
投影装置により映像を投影する投影先の対象物である被投影対象物を特定するための特定情報に関連した映像コンテンツを記憶する記憶手段と、
前記被投影対象物から得られる前記被投影対象物を特定するための特定情報を取得する取得手段と、
前記取得手段により取得された特定情報に関連して前記記憶手段に記憶されている映像コンテンツを、前記被投影対象物に映像を投影する映像コンテンツとして決定する決定手段と、
前記決定手段により決定された映像コンテンツの映像を前記被投影対象物に投影すべく該映像コンテンツを前記投影装置に出力する出力手段と、
を備えることを特徴とする情報処理装置。
【請求項２】
前記記憶手段は、前記被投影対象物を特定するための特定情報に関連して、該特定情報により特定される被投影対象物の種類を示す種類情報と、前記種類情報に関連して、該種類情報により示される種類の被投影対象物に投影する映像コンテンツと、を記憶し、
前記取得手段により取得された特定情報に関連して、前記記憶手段に記憶されている種類情報に示される種類の被投影対象物を、映像を投影する被投影対象物として特定する特定手段を更に備え、
前記決定手段は、前記特定手段により特定された被投影対象物の種類情報に関連して、前記記憶手段に記憶されている映像コンテンツを、前記特定手段により特定された被投影対象物に映像を投影する映像コンテンツとして決定することを特徴とする請求項１に記載の情報処理装置。
【請求項３】
前記特定情報は、前記被投影対象物の照度又は色彩に係る情報を含むことを特徴とする請求項１又は２に記載の情報処理装置。
【請求項４】
前記被投影対象物は、フロアマットを含むことを特徴とする請求項１乃至３の何れか１項に記載の情報処理装置。
【請求項５】
投影装置により映像を投影する投影先の対象物である被投影対象物を特定するための特定情報に関連した映像コンテンツを記憶する記憶手段を備えた情報処理装置の制御方法であって、
前記情報処理装置の取得手段が、前記被投影対象物から得られる前記被投影対象物を特定するための特定情報を取得する取得工程と、
前記情報処理装置の決定手段が、前記取得工程により取得された特定情報に関連して前記記憶手段に記憶されている映像コンテンツを、前記被投影対象物に映像を投影する映像コンテンツとして決定する決定工程と、
前記情報処理装置の出力手段が、前記決定工程により決定された映像コンテンツの映像を前記被投影対象物に投影すべく該映像コンテンツを前記投影装置に出力する出力工程と、
を備えることを特徴とする制御方法。
【請求項６】
投影装置により映像を投影する投影先の対象物である被投影対象物を特定するための特定情報に関連した映像コンテンツを記憶する記憶手段を備えた情報処理装置で読み取り実行可能なプログラムであって、
前記情報処理装置を、
前記被投影対象物から得られる前記被投影対象物を特定するための特定情報を取得する取得手段と、
前記取得手段により取得された特定情報に関連して前記記憶手段に記憶されている映像コンテンツを、前記被投影対象物に映像を投影する映像コンテンツとして決定する決定手段と、
前記決定手段により決定された映像コンテンツの映像を前記被投影対象物に投影すべく該映像コンテンツを前記投影装置に出力する出力手段として機能させることを特徴とするプログラム。
【発明の詳細な説明】
【技術分野】
【０００１】
本発明は、情報処理装置、及びその制御方法、プログラムに関し、特に、被投影対象物に従って、該被投影対象物上への投影に適した映像コンテンツを動的に切り替える技術に関するものである。
【背景技術】
【０００２】
近年、デジタルサイネージシステムとして、プロジェクターを用いて床面に映像を投影するシステムが用いられてきている。
このシステムは、床面に投影された映像の上で、ユーザが何らかの動作を行うと、その動作を検知して、特定のコンテンツを投影する処理を行う。
【０００３】
特許文献１には、複数の店舗または売場を結ぶ動線経路上にある複数のディスプレイ端末に、その動線経路の順に、連続性がある複数のコンテンツをその連続順に表示されるように配信するコンテンツ配信端末が記載されている。
【先行技術文献】
【特許文献】
【０００４】
【特許文献１】特開２０１０−２１０７８１号公報
【発明の概要】
【発明が解決しようとする課題】
【０００５】
しかしながら、従来の仕組みでは、例えば、プロジェクターが単に床面に映像を投影し、その映像の上でのユーザの動きを検知することで、その投影している映像を変化させ、それにより、ユーザを、楽しませることが可能である。
【０００６】
そのため、会社やお店などの玄関の床に設置されている玄関マット上に、従来のデジタルサイネージシステムで映像を投影することで、顧客（ユーザ）を楽しませることができると共に、顧客の靴の裏についた泥や雨水などを、玄関マット（被投影対象物）に吸着させることができ、室内を綺麗にすること等の効果が得られる。
【０００７】
しかしながら、室内を綺麗に保つために、会社やお店などの玄関の床に玄関マット設置する管理者は、例えば、気象が晴れのときには晴れのとき用のマットを玄関の床に設置し、雨のときには、雨のとき用のマットを玄関の床に設置しなければならない。例えば、晴れのとき用のマットは、主に、ほこりや砂などを主に吸着する素材から構成されており、雨のとき用のマットとは、雨水や泥などを主に吸着する素材から構成されている。このように、管理者は、気象に応じて素材の異なるマットを玄関の床に設置しなければならない。
【０００８】
また、例えば、晴れのとき用のマット上に、晴れのとき用のマット上に良く映る映像を管理者が選んで投影すればよいが、雨のとき用のマット上に、晴れのとき用のマット上に良く映る映像を投影してしまうと、雨のとき用のマットの素材が、晴れのとき用のマットの素材と異なるため、その映像が映りにくかったりするので、顧客（ユーザ）を十分に楽しませることができず、結果として、室内を綺麗にする等の効果が低下してしまう。
【０００９】
また、気象に適していない映像コンテンツをマット上に投影した場合も、同様に、顧客（ユーザ）を十分に楽しませることができず、結果として、室内を綺麗にする等の効果が低下してしまう。
【００１０】
そのため、管理者は、室内を綺麗にする等の効果を得るために、気象に適したマットを玄関の床に設置し、さらに、気象、及びマットに適した映像コンテンツを選択して、気象、及びマットに適した映像コンテンツを投影しなければならず、煩雑な操作を強いられていた。
【００１１】
そこで、本発明の目的は、被投影対象物に従って、該被投影対象物上への投影に適した映像コンテンツを動的に切り替えることにより、管理者の煩雑な操作を軽減させるための仕組みを提供することである。
【課題を解決するための手段】
【００１２】
本発明は、投影装置により映像を投影する投影先の対象物である被投影対象物を特定するための特定情報に関連した映像コンテンツを記憶する記憶手段と、前記被投影対象物から得られる前記被投影対象物を特定するための特定情報を取得する取得手段と、前記取得手段により取得された特定情報に関連して前記記憶手段に記憶されている映像コンテンツを、前記被投影対象物に映像を投影する映像コンテンツとして決定する決定手段と、前記決定手段により決定された映像コンテンツの映像を前記被投影対象物に投影すべく該映像コンテンツを前記投影装置に出力する出力手段と、を備えることを特徴とする。
【００１３】
また、本発明は、投影装置により映像を投影する投影先の対象物である被投影対象物を特定するための特定情報に関連した映像コンテンツを記憶する記憶手段を備えた情報処理装置の制御方法であって、前記情報処理装置の取得手段が、前記被投影対象物から得られる前記被投影対象物を特定するための特定情報を取得する取得工程と、前記情報処理装置の決定手段が、前記取得工程により取得された特定情報に関連して前記記憶手段に記憶されている映像コンテンツを、前記被投影対象物に映像を投影する映像コンテンツとして決定する決定工程と、前記情報処理装置の出力手段が、前記決定工程により決定された映像コンテンツの映像を前記被投影対象物に投影すべく該映像コンテンツを前記投影装置に出力する出力工程と、を備えることを特徴とする。
【００１４】
また、本発明は、投影装置により映像を投影する投影先の対象物である被投影対象物を特定するための特定情報に関連した映像コンテンツを記憶する記憶手段を備えた情報処理装置で読み取り実行可能なプログラムであって、前記情報処理装置を、前記被投影対象物から得られる前記被投影対象物を特定するための特定情報を取得する取得手段と、前記取得手段により取得された特定情報に関連して前記記憶手段に記憶されている映像コンテンツを、前記被投影対象物に映像を投影する映像コンテンツとして決定する決定手段と、前記決定手段により決定された映像コンテンツの映像を前記被投影対象物に投影すべく該映像コンテンツを前記投影装置に出力する出力手段として機能させることを特徴とする。
【発明の効果】
【００１５】
本発明によれば、被投影対象物に従って、該被投影対象物上への投影に適した映像コンテンツを動的に切り替えることにより、管理者の煩雑な操作を軽減させることができる。
【図面の簡単な説明】
【００１６】
【図１】本発明の実施形態に係る情報処理システムの構成図である。
【図２】図１に示したコントロールＰＣ（情報処理装置）１０５に適用可能な情報処理装置のハードウェア構成を示すブロック図である。
【図３】コントロールＰＣ（情報処理装置）１０５における制御処理を行うフローチャートの一例を示す図である。
【図４】マット種別特定テーブル４０１とコンテンツ決定テーブル４０２の一例を示す図である。
【図５】晴れ用マット投影用コンテンツ５０１、雨用マット投影用コンテンツ５０２の映像コンテンツの一例である。
【発明を実施するための形態】
【００１７】
以下、図面を参照して、本発明の実施形態に係る情報処理装置、及びその動作処理の詳細について説明する。
【００１８】
図１は、本発明の実施形態に係る情報処理システムの構成図である。
【００１９】
図１に示す情報処理システムは、プロジェクター１０１と、照度測定器、色彩輝度計１０２と、赤外線センサー１０３と、ＣＣＤデジタルカメラ（ＣＣＤカメラ）１０４と、コントロールＰＣ（情報処理装置）１０５とから構成されている。
【００２０】
コントロールＰＣ（情報処理装置）１０５は、プロジェクター１０１と、照度測定器、色彩輝度計１０２と、赤外線センサー１０３と、ＣＣＤデジタルカメラ（ＣＣＤカメラ）１０４と、それぞれ、有線、又は無線で相互に通信可能に接続されている。
【００２１】
図１に示しているように、例えば、コントロールＰＣ（情報処理装置）１０５と、プロジェクター１０１とは、ＲＧＢケーブル（映像配信用）と、ＲＳ２３２ケーブル（コントロール用）とで接続されている。
【００２２】
また、図１に示す通り、プロジェクター１０１は、フロアマット（単にマットとも言う）上に映像コンテンツを投影するように設置されている。プロジェクター１０１は、本発明の投影装置の適用例である。また、フロアマットは、本発明の、映像を投影する投影先の対象物である被投影対象物の適用例である。
また、照度測定器、色彩輝度計１０２は、マットの明るさや色味を検出することができるように設置されている。
【００２３】
また、赤外線センサー１０３、及びＣＣＤデジタルカメラ（ＣＣＤカメラ）１０４は、マット上のユーザ、またはユーザの動作を検出するように設置されている。
＜図２の説明＞
以下、図２を用いて、図１に示したコントロールＰＣ（情報処理装置）１０５に適用可能な情報処理装置のハードウェア構成について説明する。
【００２４】
図２は、図１に示したコントロールＰＣ（情報処理装置）１０５に適用可能な情報処理装置のハードウェア構成を示すブロック図である。
【００２５】
図２において、２０１はＣＰＵで、システムバス２０４に接続される各デバイスやコントローラを統括的に制御する。また、ＲＯＭ２０２あるいは外部メモリ２１１には、ＣＰＵ２０１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、各サーバ或いは各ＰＣの実行する機能を実現するために必要な後述する各種プログラム等が記憶されている。
【００２６】
２０３はＲＡＭで、ＣＰＵ２０１の主メモリ、ワークエリア等として機能する。ＣＰＵ２０１は、処理の実行に際して必要なプログラム等をＲＯＭ２０２あるいは外部メモリ２１１からＲＡＭ２０３にロードして、該ロードしたプログラムを実行することで各種動作を実現するものである。
【００２７】
また、２０５は入力コントローラで、キーボード（ＫＢ）２０９や不図示のマウス等のポインティングデバイス等の入力装置からの入力を制御する。２０６はビデオコントローラで、液晶ディスプレイ等のディスプレイ２１０への表示を制御する。なお、２１０のディスプレイは、タッチパネルになっており、ディスプレイ上の画面を押下されることにより操作することが可能な入力装置としても機能する。
【００２８】
２０７はメモリコントローラで、ブートプログラム，各種のアプリケーション，フォントデータ，ユーザファイル，編集ファイル，各種データ等を記憶する外部記憶装置（ハードディスク（ＨＤ））や、フレキシブルディスク（ＦＤ）、或いはＰＣＭＣＩＡカードスロットにアダプタを介して接続されるコンパクトフラッシュ（登録商標）メモリ等の外部メモリ２１１へのアクセスを制御する。
【００２９】
２０８は通信Ｉ／Ｆコントローラで、ネットワークを介して外部機器と接続・通信するものであり、ネットワークでの通信制御処理を実行する。例えば、ＴＣＰ／ＩＰを用いた通信等が可能である。
【００３０】
なお、ＣＰＵ２０１は、例えばＲＡＭ２０３内の表示情報用領域へアウトラインフォントの展開（ラスタライズ）処理を実行することにより、ディスプレイ２１０上での表示を可能としている。また、ＣＰＵ２０１は、ディスプレイ２１０上の不図示のマウスカーソル等でのユーザ指示を可能とする。
【００３１】
本発明を実現するための後述する各種プログラムは、外部メモリ２１１に記録されており、必要に応じてＲＡＭ２０３にロードされることによりＣＰＵ２０１によって実行されるものである。さらに、上記プログラムの実行時に用いられる定義ファイル及び各種情報テーブル等も、外部メモリ２１１に格納されており、これらについての詳細な説明も後述する。
＜図３の説明＞
次に、図３を用いて、本実施形態のコントロールＰＣ（情報処理装置）１０５における制御処理を行うフローチャートについて説明する。
図３は、コントロールＰＣ（情報処理装置）１０５における制御処理を行うフローチャートの一例を示す図である。
図３に示す各ステップに示す処理は、コントロールＰＣ（情報処理装置）１０５のＣＰＵ２０１により実行され実現される。
【００３２】
まず、照度測定器、色彩輝度計１０２は、フロアマット（玄関マット）からの照度や色彩を検出すると、コントロールＰＣ（情報処理装置）１０５は、その検出結果として、フロアマット（玄関マット）の照度や色彩を示す情報を、照度測定器、色彩輝度計１０２から受信する（ステップＳ３０１）。すなわち、ステップＳ３０１は、被投影対象物から得られる該被投影対象物を特定するための特定情報を取得する（取得手段）
【００３３】
そして、コントロールＰＣ（情報処理装置）１０５は、ステップＳ３０１で受信した、フロアマット（玄関マット）の照度や色彩を示す情報に従って、フロアマットの種類を判別して、判別された種類のフロアマットに対応する映像コンテンツを特定（決定）する（ステップＳ３０２）。
ステップＳ３０２は、本発明の決定手段の適用例である。
【００３４】
具体的には、ステップＳ３０１で受信した照度、色彩の情報が、図４に示すマット種別特定テーブル４０１のどの投影条件に合致するかを判定し、合致すると判定された投影条件に対応して記憶されているマットの種類を、設置されているマットの種類として判別する。
ここで、投影条件は、本発明の、被投影対象物を特定するための特定情報の適用例である。
【００３５】
そして、判別されたマットの種類に対応して、コンテンツ決定テーブル４０２に記憶されている映像コンテンツを、該マットの種類に適した映像コンテンツとして決定する。
図４は、マット種別特定テーブル４０１とコンテンツ決定テーブル４０２の一例を示す図である。
【００３６】
マット種別特定テーブル４０１とコンテンツ決定テーブル４０２は、外部メモリ２１１に記憶されている。外部メモリ２１１は、本発明の記憶手段の適用例である。
【００３７】
図４に示す通り、マット種別特定テーブル４０１には、「投影条件」、「マットの種類」が対応して（関連付けられて）記憶されている。ここで、「投影条件」は、本発明の特定情報の適用例であり、「マットの種類」は、本発明の種類情報の適用例である。
また、コンテンツ決定テーブル４０２には、「マットの種類」、「映像コンテンツ」が対応して（関連付けられて）記憶されている。
【００３８】
すなわち、マット種別特定テーブル４０１の「投影条件」は、「マットの種類」をキーに、コンテンツ決定テーブル４０２の「映像コンテンツ」と関連付けられている。
【００３９】
マット種別特定テーブル４０１には、「マットの種類」に対応して、その種類のマットから得られる光に係る情報（フロアマット（玄関マット）の照度や色彩を示す情報）を「投影条件」として記憶している。
【００４０】
コンテンツ決定テーブル４０２の「映像コンテンツ」に記憶されている「晴れ用マット投影用コンテンツ」、「雨用マット投影用コンテンツ」は、それぞれ、例えば、図５の５０１、５０２に示す映像である。
図５は、晴れ用マット投影用コンテンツ５０１、雨用マット投影用コンテンツ５０２の映像コンテンツの一例である。
【００４１】
図５に示すように、晴れ用マット投影用コンテンツ５０１は、気象が晴れのときに、晴れ用マット上に良く映る晴れ用マットに適した映像コンテンツである。また、雨用マット投影用コンテンツ５０２は、気象が雨のときに、雨用マット上に良く映る雨用マットに適した映像コンテンツである。
【００４２】
次に、コントロールＰＣ（情報処理装置）１０５は、赤外線センサー１０３、及びＣＣＤデジタルカメラ（ＣＣＤカメラ）１０４からの信号を受信して、その信号を解析する（ステップＳ３０３）。ここで、ステップＳ３０３の処理では、赤外線センサー１０３、及びＣＣＤデジタルカメラ（ＣＣＤカメラ）１０４から継続的に信号を受信して解析するようにしている。
【００４３】
そして、ステップＳ３０３の解析の結果、人物を認識したか否かを判定し（ステップＳ３０４）、人物を認識したと判定された場合は（ＹＥＳ）、ステップＳ３０２で決定された映像コンテンツをフロアマットに投影するように制御する（ステップＳ３０５）。具体的には、コントロールＰＣ（情報処理装置）１０５は、プロジェクター１０１に、ステップＳ３０２で決定された映像コンテンツを配信し続けることで、該映像コンテンツをフロアマットに投影するように制御する。
そして、処理をステップＳ３０４に移行して、継続的に人物を認識したかを判定する。
【００４４】
ステップＳ３０５は、ステップＳ３０２で決定された映像コンテンツの映像を被投影対象物に投影すべく該映像コンテンツを投影装置に出力する出力手段の適用例である。
【００４５】
ステップＳ３０４において、人物を認識できないと判定された場合は（ＮＯ）、ステップＳ３０２で決定された映像コンテンツのプロジェクター１０１への配信を止めることで、該映像コンテンツの投影を行わないように制御する（ステップＳ３０６）。
【００４６】
そして、ユーザにより、終了指示がなされたか否かを判定して（ステップＳ３０７）、終了指示がなされた場合は（ＹＥＳ）、処理を終了し、終了指示がなされていないと判定された場合は（ＮＯ）、再度、ステップＳ３０１に戻る。
【００４７】
以上、本発明によれば、マットの種類に従って、該マット上への投影に適した映像コンテンツを動的に切り替えることにより、管理者の煩雑な操作を軽減させることが出来る。
【００４８】
また、本発明の目的は、前述した実施形態の機能を実現するソフトウェアのプログラムコードを記録した記憶媒体を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
【００４９】
この場合、記憶媒体から読み出されたプログラムコード自体が前述した実施形態の機能を実現することになり、プログラムコード自体及びそのプログラムコードを記憶した記憶媒体は本発明を構成することになる。
【００５０】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のカード、ＲＯＭ等を用いることができる。
【００５１】
また、コンピュータが読み出したプログラムコードを実行することにより、前述した実施形態の機能が実現されるだけでなく、そのプログラムコードの指示に基づき、コンピュータ上で稼動しているＯＳ（基本システム或いはオペレーティングシステム）などが実際の処理の一部又は全部を行い、その処理によって前述した実施形態の機能が実現される場合も含まれることは言うまでもない。このプログラムコードを読み出し実行可能な情報処理装置（コンピュータ）が前述した実施形態の機能を実現する。
【００５２】
さらに、記憶媒体から読み出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵ等が実際の処理の一部又は全部を行い、その処理によって前述した実施形態の機能が実現される場合も含まれることは言うまでもない。
【符号の説明】
【００５３】
プロジェクター  １０１
照度測定器、色彩輝度計  １０２
赤外線センサー  １０３
ＣＣＤデジタルカメラ（ＣＣＤカメラ）  １０４
コントロールＰＣ（情報処理装置）  １０５
【図１】
2013130682.tif 000003
【図２】
2013130682.tif 000004
【図３】
2013130682.tif 000005
【図４】
2013130682.tif 000006
【図５】
2013130682.tif 000007